(57)【要約】【課題】眼鏡店等の現場で、特に累進多焦点レンズを好適にレイアウトするために、眼鏡フレーム装用者の左右瞳孔中心を簡単にできる限り正確に確認できる。【解決手段】左右リム２ａ，２ｂとブリッジ３とを備える眼鏡フレーム１の左右のダミーレンズ５ａ，５ｂは、その幾何学的垂直中心位置を表す１本の水平基準線６ａ，６ｂと、１本の垂直基準線７ａ，７ｂと、１本の水平補助線８ａ，８ｂとがそれぞれ設けられている。垂直基準線は水平基準線に直交して、ブリッジの中心から所定の標準瞳孔間距離ＰＤ＝６４mmの１／２に配置され、水平補助線は垂直基準線に直交して、水平基準線よりも短くかつ／又は太く、それより上方に僅かな高さｈ＝３mmだけ離隔して配置されている。【選択図】図１
2014071420.tif 000002
【特許請求の範囲】
【請求項１】
左右の眼鏡レンズを保持するための左右のレンズ保持部と、前記左右の眼鏡レンズの鼻側を支持するブリッジ部とを備える眼鏡フレームにおいて、前記左右のレンズ保持部に保持される左右一対のダミーレンズであって、
前記各ダミーレンズには、該ダミーレンズの幾何学的垂直中心位置を表す１本の水平基準線と、前記水平基準線に直交する１本の垂直基準線と、前記垂直基準線に直交する１本の水平補助線とがそれぞれ設けられ、
前記各垂直基準線が、前記ブリッジ部の中心から所定の標準瞳孔間距離の１／２に配置され、
前記水平補助線が、前記水平基準線より上方に僅かな距離だけ離隔して配置されていることを特徴とする眼鏡フレームのダミーレンズ。
【請求項２】
前記水平補助線が、前記水平基準線より２〜４mm上方の位置に配置されていることを特徴とする請求項１に記載の眼鏡フレームのダミーレンズ。
【請求項３】
前記所定の標準瞳孔間距離が６０〜６５mmの範囲であることを特徴とする請求項１又は２に記載の眼鏡フレームのダミーレンズ。
【請求項４】
前記水平補助線が、前記水平基準線よりも短くかつ／又は太く設けられていることを特徴とする請求項１乃至３のいずれかに記載の眼鏡フレームのダミーレンズ。
【請求項５】
左右の眼鏡レンズを保持するための左右のレンズ保持部と、前記左右の眼鏡レンズの鼻側を支持するブリッジ部とを備え、前記左右のレンズ保持部に請求項１乃至４のいずれかに記載のダミーレンズを装着したことを特徴とする眼鏡フレーム。
【発明の詳細な説明】
【技術分野】
【０００１】
本発明は、眼鏡レンズを枠入れする前の眼鏡フレームに装着されるダミーレンズ、及び該ダミーレンズを装着した眼鏡フレームに関する。
【背景技術】
【０００２】
一般に、眼鏡店等で市販されている眼鏡フレームには、ダミーレンズと呼ばれる、度の入っていないプラスチック材料等の仮のレンズが装着されている。ダミーレンズは、眼鏡フレームの店頭陳列、保管、輸送中における変形を防止し、使用前の眼鏡フレームに質感を与えたりするためのもので、眼鏡レンズを枠入れする際に眼鏡フレームから取り外して廃棄される。他方、眼鏡レンズには、近用又は遠用の単焦点レンズ、屈折率が異なる複数の視野部を有する多重焦点レンズに加え、最近は、例えば遠用部と近用部との間で屈折率を累進的に変化させて境目を無くした累進多焦点レンズ（又は累進屈折力レンズ）が広く使用されている。
【０００３】
単焦点レンズの外形を研削加工するためのレンズパターンとして機能するダミーレンズを備えた眼鏡フレームが知られている（例えば、特許文献１を参照）。このダミーレンズは、眼鏡装用者の瞳孔位置を指示するセンターホールが、水平基準線と垂直基準線との交差部分に設けられている。眼鏡レンズは、その光軸がダミーレンズのセンターホールに合致するように玉型加工される。
【０００４】
左右のダミーレンズの少なくとも一方の表面にリムの幅方向に対して鉛直な目盛りマークを形成した眼鏡フレームが知られている（例えば、特許文献２を参照）。この目盛りマークは、ダミーレンズの耳側の端縁に沿って設けられている。眼鏡技術者は、顧客が試着している眼鏡フレームを正面から目で見て、目盛りマークから瞳孔垂直レベル位置を数値的に測定する。この測定値とＰＤ測定器により求めた瞳孔間距離とを用いて、レンズ光軸が適正位置に合致するように眼鏡レンズを加工する。
【０００５】
ダミーレンズの中央部分の周囲に縦横方向のアイポイント測定用目盛を直接印刷し又は印刷したシールを貼着した眼鏡フレームと、デジタルカメラ、コンピュータ、表示装置及び／又は印刷機とを組み合わせたアイポイント測定システムが提案されている（例えば、特許文献３を参照）。このシステムは、被験者が装用している眼鏡フレームを正面からデジタルカメラで撮影し、取得した画像上でアイポイント測定用目盛から被験者の瞳孔位置を読み取り、その読取値から実際のダミーレンズ表面にアイポイントのマークを印点し、このマークが中心となるように眼鏡レンズを玉型加工する。
【０００６】
累進多焦点レンズは、装用者の遠方視線が遠用部のアイポイントを通過し、かつ近方視線が近用部のアイポイントを通過するように、眼鏡フレームの玉型形状に合わせてレイアウトする必要がある。そのために、レンズの遠用中心位置を示す水平線及び垂直線、それらの交点に小円の遠用アイポイント穴、レンズの幾何学中心水平線、レンズの近用中心位置に該当する小円の近用アイポイント穴を透明シートに設けた枠入れ補助具が提案されている（例えば、特許文献４を参照）。この枠入れ補助具は、眼鏡フレームのダミーレンズ上に仮装着し、眼鏡フレームの装用者に遠方視させて、その瞳孔中心に遠用アイポイント穴の中心が一致するように、作業者が目で見ながら調整する。この後、ダミーレンズに枠入れ補助具を貼り付け、又は遠用及び近用アイポイント穴の中心位置を印点し、これを用いて眼鏡レンズのレイアウトを行う。
【０００７】
特許文献４と同様の透明シート状枠入れ補助具において、小円の近用アイポイント穴に代えて縦長の切欠きからなる近用アイポイント領域を設け、それに隣接して遠用アイポイント領域からの距離を表示する識別マークを付したものが知られている（例えば、特許文献５を参照）。この枠入れ補助具は、同様に遠用アイポイント穴の中心を装用者の瞳孔中心に一致させるように調整した後、更に装用者に近方視させて、その瞳孔中心から眼鏡作業者が識別マークにより近用アイポイント位置を確認する。
【０００８】
更に、眼鏡装用者の瞳孔中心を確認して眼鏡レンズの光学中心と一致させるための瞳孔中心確認記録装置が知られている（例えば、特許文献６を参照）。この装置は、眼鏡装用者の両眼を測定者が眼鏡フレーム内に見たときの他覚的瞳孔中心と、眼鏡装用者が遠景を見たときの自覚的瞳孔中心とがずれることを考慮して瞳孔中心を決定する。そのために、左右の他覚的瞳孔中心を眼鏡フレームのダミーレンズ上にマーキングする第１のマーキング部と、眼鏡装用者の左右の瞳の前に同じマークを示す第２のマーキング部と、左右の自覚的瞳孔中心をダミーレンズ上にマーキングする第３のマーキング部とを有するポインタが、眼鏡フレームに取り付けられるガイド本体にアジャスターを介して移動可能に取り付けられている。
【先行技術文献】
【特許文献】
【０００９】
【特許文献１】実公平２−４１６１１号公報
【特許文献２】実開平２−１３１７２３号公報
【特許文献３】特開２０１１−８１２４８号公報
【特許文献４】実開昭６３−１２０２２５号公報
【特許文献５】実用新案登録第２５０３７７０号公報
【特許文献６】特許第３３６３４２５号公報
【発明の概要】
【発明が解決しようとする課題】
【００１０】
累進多焦点レンズは、遠用部と近用部の配置、度数が累進的に変化する中間部の長さ即ち累進帯長等において様々な種類のものが提供されている。累進多焦点レンズをレイアウトする際には、眼鏡装用者が選択した眼鏡フレームについて、該装用者の遠用及び近用瞳孔中心の位置を正確に確認することが重要である。更に、眼鏡レンズの遠用及び近用アイポイントが眼鏡フレームの左右リムの間で対称性良く配置されていると、レンズ性能がより良く発揮され、左右のレンズで像の歪み等が無く、より快適に眼鏡を装用できる、という点において好都合である。
【００１１】
ところが、一般に人間の顔の造作は、自然界において左右対称であり得ない。実際、眼鏡フレームのノーズパッドを載せる鼻の形や位置、テンプルを掛ける耳の形や高さは様々であり、鼻の位置に関する眼の位置も左右対称でない場合が多く、左右の瞳孔の高さ位置も必ずしも同じではない。眼鏡店等の現場では、眼鏡レンズの性能が最適に発揮され、眼鏡の掛け具合、掛け心地が良く、眼鏡を掛けたときの見た目、即ち顔における眼鏡の位置や眼鏡フレームの左右の傾き等が最適になるように、眼鏡技術者による眼鏡フレームのフィッティングが行われている。しかしながら、このフィッティングは、眼鏡レンズのレイアウトを目的とするものではなく、それによって左右眼鏡レンズの遠用及び近用アイポイントが左右に対称性良く配置されることを期待することはできない。
【００１２】
特許文献６記載の装置は、累進多焦点レンズのレイアウトにおいて、眼鏡装用者の瞳孔中心を確認するためのものであるが、装置自体の構造及び操作が非常に複雑である。そのため、眼鏡フレームの左右各リムについてそれぞれ眼鏡フレーム装用者の瞳孔中心を決定する作業は、面倒で多くの手間を要しかつ比較的長い時間が掛かるだけでなく、作業者に或る程度の熟練した技量が要求される、という問題がある。
【００１３】
言うまでもなく、単焦点レンズへの適用を目的とした特許文献１、２記載のダミーレンズをレンズパターンとして、累進多焦点レンズのレイアウトに用いることは適切でない。また、特許文献３記載のアイポイント測定システムは、デジタルカメラ、コンピュータ、表示装置、印刷機等の追加機器が必須なため、システム全体が複雑かつ高価であり、比較的広い占有スペースが必要になる。更に、デジタルカメラによる被験者顔部の撮影、定規等を用いた画像上での目盛の読み取り及びダミーレンズ表面への印点等、面倒で手間を要する比較的長時間の作業が不可欠で、正確な作業には熟練した技量が要求される。
【００１４】
特許文献４，５記載の透明シート状枠入れ補助具は、遠用及び近用アイポイント穴が、一般に約２mmから８mmの間で変化する人間の瞳孔径に準じて、直径僅か４mmの小円で形成されている。ダミーレンズを通して装用者の眼を見ながら、この小円が瞳孔の中心に一致するように枠入れ補助具を動かす作業は、非常に面倒であり、容易ではない。また、実際に左右双方のダミーレンズに枠入れ補助具を貼り付け又は遠用及び近用アイポイント穴を介して印点してみるまでは、左右各リムのどの辺りにそれぞれ遠用アイポイント位置が来るかを把握することが困難であり、左右リム間で遠用及び／又は近用アイポイント位置が予想以上にアンバランスになる虞がある。
【００１５】
本発明は、上述した従来の問題点に鑑みてなされたものであり、その目的は、眼鏡店等の現場で眼鏡レンズのレイアウトを行う際に、構造及び／又は操作が複雑であったり高コストな装置・機器を用いることなく、面倒で手数のかかる作業や長時間を要することなく、技量や熟練の程度が比較的低い眼鏡技術者であっても、比較的簡単にかつできる限り正確に、眼鏡フレーム装用者の瞳孔中心を確認できる眼鏡フレームのダミーレンズを提供することにある。特に本発明は、累進多焦点レンズ等の遠近両用の眼鏡レンズのレイアウトを行う際に、左右の眼鏡レンズの遠用アイポイントが、好ましくは更に近用アイポイントが、左右リム間で対称性良く、より適当な位置に配置されるように、眼鏡フレーム装用者の左右の瞳孔中心を確認できるようにすることを目的とする。
【００１６】
更に本発明の目的は、そのようなダミーレンズを備えた眼鏡フレームを提供することにある。
【課題を解決するための手段】
【００１７】
本発明の眼鏡フレームのダミーレンズは、上記目的を達成するために、左右の眼鏡レンズを保持するための左右のレンズ保持部と、左右の眼鏡レンズの鼻側を支持するブリッジ部とを備える眼鏡フレームにおいて、左右のレンズ保持部に保持される左右一対のダミーレンズであって、
各ダミーレンズには、該ダミーレンズの幾何学的垂直中心位置を表す１本の水平基準線と、該水平基準線に直交する１本の垂直基準線と、該垂直基準線に直交する１本の水平補助線とがそれぞれ設けられ、
各垂直基準線が、ブリッジ部の中心から所定の標準瞳孔間距離の１／２に配置され、
水平補助線が、水平基準線より上方に僅かな距離だけ離隔して配置されていることを特徴とする。
【００１８】
このように水平基準線、垂直基準線及び水平補助線を各ダミーレンズに、特に累進多焦点レンズのような遠近両用の眼鏡レンズのレイアウトで遠用アイポイントや装用者の瞳孔中心が予想される領域を考慮して設けることによって、これら各線と眼鏡フレーム装用者の左右瞳孔との相対的な位置関係を、眼鏡店等の現場で眼鏡技術者は、目視で一目瞭然に把握することができる。特に上述した垂直基準線及び水平補助線の位置によって、左右瞳孔中心の位置を、水平・垂直基準線及び水平補助線との距離感も含めて把握できる。従って、眼鏡技術者の技量や熟練の程度が比較的低くても、眼鏡フレーム装用者の左右瞳孔中心を比較的簡単にかつできる限り正確に確認することが可能である。眼鏡技術者は、確認した左右瞳孔の中心位置に合わせて、各ダミーレンズの表面にアイポイントマークをペン等により手で書き込むだけで良く、構造及び／又は操作が複雑で高コストな装置・機器を必要とせず、面倒で手数のかかる作業や長時間を要しないので、有利である。更に、左右の瞳孔中心とそれに対応する水平基準線、垂直基準線及び水平補助線との位置関係を容易に対比することができ、左右のリム内に眼鏡レンズの遠用アイポイントをそれぞれ適当かつ好適な位置に、左右でバランス良く配置することができる。
【００１９】
或る実施例では、水平補助線が水平基準線より２〜４mm上方の位置に配置されている。市販されている累進多焦点レンズの多くは、遠用アイポイントがレンズの幾何学中心から上方に２〜４mm程度の高さに配置されていることから、そのレイアウトにおいて、水平補助線は、レンズの幾何学中心が常に左右リムの玉型の幾何学水平中心位置付近に来るように、眼鏡フレーム装用者の瞳孔中心を確認するための指標として非常に有効である。
【００２０】
別の実施例では、垂直基準線を配置するための所定の標準瞳孔間距離が６０〜６５mmの範囲である。後述するように、一般的な日本人の成人の瞳孔間距離は５６〜７２mmの範囲であり、成人男子の平均値が６４mm、成人女性の平均値が６２mmとされていることから、これらの値に対応して所定の標準瞳孔間距離を設定することによって、眼鏡フレーム装用者の瞳孔中心が常に垂直基準線付近に来るので、垂直基準線は、眼鏡フレーム装用者の瞳孔中心を確認するための指標として、非常に有効である。
【００２１】
また或る実施例では、水平補助線を水平補助線よりも短くかつ／又は太く設けることができる。これにより、水平補助線を水平基準線とは明確に区別して認識することが可能になるので、眼鏡技術者にとって眼鏡フレーム装用者の瞳孔中心を確認するための指標として、より有利である。
【００２２】
本発明の別の側面によれば、左右の眼鏡レンズを保持するための左右のレンズ保持部と、左右の眼鏡レンズの鼻側を支持するブリッジ部とを備え、上述した本発明のダミーレンズを左右のレンズ保持部に装着した眼鏡フレームが提供される。これにより、眼鏡フレームを販売する眼鏡店等の現場において、眼鏡技術者は、眼鏡レンズのレイアウトのために、眼鏡フレーム装用者の左右瞳孔中心を比較的簡単にかつできる限り正確に確認することができる。
【図面の簡単な説明】
【００２３】
【図１】本発明による好適実施例のダミーレンズを装着した眼鏡フレームの正面図。
【図２】図１の眼鏡フレームの装用状態を示す正面図。
【発明を実施するための形態】
【００２４】
以下に、添付図面を参照しつつ、本発明の好適な実施例を詳細に説明する。尚、本実施例の眼鏡フレームにおける左右とは、その装用者側から見た左右を意味するものとする。即ち、本実施例の説明における左右は、添付図面上の実際の左右とは逆になる。
【００２５】
図１は、本発明による一実施例のダミーレンズを装着した眼鏡フレームを示している。本実施例の眼鏡フレーム１は、フルリムタイプの構造を有し、左右一対のリム２ａ，２ｂと、前記左右リムをその鼻側で連結するブリッジ３と、前記左右リムの耳側端部にそれぞれ結合されたヨロイ４ａ，４ｂとを備える。左右各リム２ａ，２ｂには、本発明による左右一対のダミーレンズ５ａ，５ｂがそれぞれ保持されている。眼鏡フレーム１は更に、前記各ヨロイにそれぞれ丁番を介して開閉可能に取り付けられたテンプルと、前記左右リムの鼻側端部にそれぞれ取り付けられたノーズパッドとを備えるが、添付図面上説明を簡単化するために省略する。
【００２６】
ダミーレンズ５ａ，５ｂは、透明な合成樹脂材料で形成され、前記左右リムに保持されるべき眼鏡レンズの玉型に対応する外周形状を有する。各ダミーレンズ５ａ，５ｂの表面には、１本の水平基準線６ａ，６ｂ、前記水平基準線に直交する１本の垂直基準線７ａ，７ｂ、及び前記垂直基準線に直交する１本の水平補助線８ａ，８ｂがそれぞれ設けられている。前記水平基準線は、前記ダミーレンズの幾何学的垂直中心位置、即ちその高さＨの１／２を表している。前記垂直基準線は、ブリッジ３の中心から所定の標準瞳孔間距離ＰＤの１／２に配置されている。前記水平補助線は、前記水平基準線より上方に僅かな距離ｈだけ離隔した高さに配置されている。これら各線は、例えばダミーレンズ表面への印刷や細溝の刻設によって設けることができる。
【００２７】
本実施例において、所定の標準瞳孔間距離ＰＤは、日本人の成人の平均的な瞳孔間距離を６４mmと仮定し、この値に対応して設定されている。一般的な日本人の成人の瞳孔間距離は５６〜７２mmの範囲であり、成人男子の平均値が６４mm、成人女性の平均値が６２mmとされている（例えば、「日本人の人体計測データ」、社団法人人間生活工学研究センター、１９９７参照）。従って、標準瞳孔間距離ＰＤは必ずしも６４mmに限定されるものでなく、前記平均値から大きく離れない範囲で、例えば６０〜６５mmの範囲で設定することが好ましい。また、成人男性用の眼鏡フレームと成人女性用の眼鏡フレームとで、標準瞳孔間距離ＰＤを異ならしめることができる。また、子供の瞳孔間距離は、年齢によって成長と共に変化することから、子供用眼鏡フレームのサイズ、例えばフロント部の左右全幅に対応して適当に標準瞳孔間距離ＰＤを設定することができる。
【００２８】
また、水平基準線６ａ，６ｂは、前記ダミーレンズの幅の１／２以上に長く延長しているが、前記ダミーレンズの全幅に亘って設けてもよい。垂直基準線７ａ，７ｂは、前記水平基準線から上下にほぼ等しい長さに、全長が前記ダミーレンズの高さＨのほぼ１／２に設けられているが、前記ダミーレンズの全高に亘って設けてもよい。
【００２９】
本実施例では、水平補助線８ａ，８ｂの前記水平基準線からの高さｈが３mmに設定されている。市販されている累進多焦点レンズの多くは、遠用アイポイントがレンズの幾何学中心から上方に２〜４mm程度の高さに配置されている。これに対応して、高さｈは、２〜４mmの範囲で選択するのが好ましく、必ずしも３mmに限定されるものではない。このように前記水平補助線の高さｈを設定することによって、累進多焦点レンズのレイアウトにおいて、その幾何学中心が常に左右リムの玉型の幾何学水平中心位置付近に来るようにすることができる。前記水平補助線が前記水平基準線から大きく離れることは、瞳孔中心を確認する際に、これら各線からの距離感が薄れたり無くなったりするので好ましくない。この距離感が得られる範囲であれば、高さｈは２〜４mmの範囲外であってもよい。
【００３０】
図示するように、水平補助線８ａ，８ｂは前記水平基準線に比して短く、前記垂直基準線から左右にそれぞれ高さｈとほぼ等しい長さに延長している。更に、水平補助線８ａ，８ｂの線幅は、前記水平基準線及び前記垂直基準線のそれよりも明示的に太い。これにより、眼鏡技術者は、前記水平補助線を前記水平基準線とは明確に区別して認識することができる。本実施例では、前記水平基準線及び前記垂直基準線の線幅が０．２mmであるのに対し、前記水平補助線の線幅は０．３５mmである。前記各線の線幅がこれらの数値に限定さないことは、言うまでもない。別の実施例では、前記水平補助線をより長く設けることもできる。また、前記水平、垂直基準線及び水平補助線は、それら全部又はそのいくつかを上記実施例の実線以外で、例えば破線や一点鎖線等で描くこともできる。
【００３１】
図２は、図１の眼鏡フレーム１を顧客が装用した状態の要部を正面から示している。眼鏡店等の現場で実際には、眼鏡レンズのレイアウト前に、選んだ眼鏡フレーム１を顧客に装用させ、予備的に眼鏡フレームのフィッティングを行う。このフィッティングは、従来から眼鏡技術者により行われているもので、眼鏡フレームの掛け具合や掛け心地、顧客の見た目の好み等に基づいて、左右テンプルの幅や傾き角度、モダンの当たり具合、左右ノーズパッドの間隔、高さ、当たり具合等を調整する。眼鏡フレームの掛け具合には、眼鏡フレームが装用者の両眼に関して高過ぎないか、低過ぎないか、左右の傾きや左右への片寄りがあるか等も含まれる。
【００３２】
次に、眼鏡フレーム１の装用者に遠方視させ、その左右両眼１０ａ，１０ｂを正面から概ね同じ視線高さで眼鏡技術者が直接眼で見て、瞳孔１１ａ，１１ｂの位置を確認する。上述したように、左右ダミーレンズ５ａ，５ｂには、遠用視の瞳孔中心、眼鏡レンズの遠用アイポイントが予想される領域を考慮して、水平基準線６ａ，６ｂ、垂直基準線７ａ，７ｂ、及び水平補助線８ａ，８ｂが設けられている。従って、眼鏡技術者は一目瞭然で、遠方視している眼鏡フレーム装用者の左右瞳孔１１ａ，１１ｂと、前記水平及び垂直基準線、水平補助線との相対的な位置関係を把握することができる。
【００３３】
特に、水平補助線８ａ，８ｂは、その線幅を前記水平基準線よりも太くしたことによって、該水平基準線と区別して、前記水平補助線と左右瞳孔との位置関係の把握が容易になる。更に、前記水平補助線の長さを上述したように短くしたことによって、該水平補助線との位置関係から、左右瞳孔中心の前記垂直基準線からの距離感を容易にかつ明確に把握することができる。このように本発明のダミーレンズによって、遠方視における左右瞳孔１１ａ，１１ｂがそれぞれ左右リム２ａ，２ｂの内側のどの辺りに位置しているかを、簡単にかつ比較的正確に確認することができる。
【００３４】
また、前記ダミーレンズ上の前記水平及び垂直基準線、水平補助線は、上述したように細い線で形成されているので、前記顧客が自分の顔を鏡に写して、前記ダミーレンズを通して眼鏡フレーム１の掛け具合を見る際に、その妨げになったり見難さや違和感を生じさせることはない。その点を鑑みると、前記水平及び垂直基準線は、前記ダミーレンズ（又は前記リム）の全幅又は全高に亘って設けるよりも、本実施例のように、それらの１／２程度にすることが好ましい。
【００３５】
この状態で、眼鏡技術者は、各ダミーレンズ５ａ，５ｂの表面にそれぞれアイポイントマーク１２ａ，１２ｂを、左右瞳孔１１ａ，１１ｂの中心位置に合わせて印点する。前記印点は、眼鏡フレーム１の正面側から、例えば油性インクのフェルトペンを用いて、図示するような小さい黒丸点を手で書き込むことによって行う。
【００３６】
図２において、眼鏡フレーム１はほぼ水平に配置されている。これに対し、左眼１０ａの瞳孔１１ａは、その中心（１２ａ）が水平補助線８ａの直ぐ下で垂直基準線７ａの直ぐ鼻側寄りに位置し、右眼１０ｂの瞳孔１１ｂは、その中心（１１ｂ）が概ね水平基準線６ｂ上で垂直基準線７ｂよりも少し鼻側寄りに位置している。このような左右の眼の高さの差及び左右のずれは、上述したように、人間の顔が左右で完全に対称でないからである。また、この程度の、瞳孔中心（１２ａ，１２ｂ）の高さの差及び左右の非対称性は、そのまま眼鏡レンズのレイアウトに反映させても、実用上像に歪みを生じたり左右で像の大きさが異なる等の支障をきたす虞は無いと考えられる。
【００３７】
眼鏡フレーム装用者の顔自体が大きく非対称な場合や、前記予備的なフィッティングの調整具合によっては、左右リム２ａ，２ｂ内における瞳孔の位置が図２よりも大きくずれて、その高さが左右で大きく異なったり非対称の程度が大きくなることもあり得る。その場合も、眼鏡技術者は、同様に本実施例のダミーレンズによって、眼鏡フレーム装用者の左右瞳孔の高さの差及び非対称の程度を、瞳孔位置と前記水平及び垂直基準線、水平補助線との相対的な位置関係から、容易にかつ明確に把握することができる。
【００３８】
そのような状態で左右の遠用アイポイントを決定して眼鏡レンズをレイアウトしても、少なくとも眼鏡の使用上実質的に支障が無い程度に眼鏡レンズの光学性能が発揮されると判断される場合、眼鏡技術者は、そのまま左右瞳孔の中心位置に合わせてアイポイントマークをそれぞれ印点してもよい。しかし、眼鏡レンズの光学性能が十分に発揮されず、眼鏡の使用に支障が生じると予想される場合、眼鏡技術者は、眼鏡フレーム１の再フィッティングを追加して行い、眼鏡フレーム装用者の左右瞳孔に関する左右リム２ａ，２ｂの位置を調整した後、アイポイントマークを印点する。この再フィッティングによる左右瞳孔の高さ及び対称性の調整は、各ダミーレンズ５ａ，５ｂの前記水平及び垂直基準線、水平補助線を基準とし又は参照することによって、簡単にかつより高い精度で行うことができる。
【００３９】
図２の実施例とは逆に、眼鏡装用者の左右眼の高さが同じであって、眼鏡フレーム１が左右に傾いている場合もある。例えば、鼻骨の位置、形が左右非対称や異形であったり、装用者の掛け心地や好みによる場合である。このような場合も、眼鏡技術者は、同様に眼鏡フレーム装用者の左右瞳孔中心と前記水平及び垂直基準線、水平補助線との相対的な位置関係から、眼鏡フレーム１の傾きや左右の位置ずれを容易にかつ明確に把握し、簡単にかつ高い精度で調整することができる。
【００４０】
このようにしてアイポイントマーク１２ａ，１２ｂを印点したダミーレンズ５ａ，５ｂを用いて、眼鏡レンズのレイアウトを行い、その外周形状を所望の玉型形状に加工する。このとき、必ずしも眼鏡レンズの遠用アイポイントを前記アイポイントマークの位置に一致させる必要はない。例えば、顧客が選択した眼鏡フレームのリム形状や寸法によって、累進多焦点レンズの遠用アイポイント及び近用アイポイントの両方をリム内に配置することが優先する場合がある。この場合でも、本発明によれば、前記アイポイントマークから装用者の瞳孔中心位置を正確に把握できているので、眼鏡技術者は、レンズ性能を損なうことなく眼鏡レンズのレイアウトを行うことが可能である。次に、外周加工した眼鏡レンズを、前記ダミーレンズを外した眼鏡フレーム１の左右リム２ａ，２ｂに枠入れして、所望の眼鏡を作製する。
【００４１】
本発明は、上記実施例に限定されるものでなく、その技術的範囲内で様々な変形又は変更を加えて実施することができる。例えば、本発明は、上記実施例のフルリムタイプ以外の眼鏡フレームであっても、眼鏡レンズを保持する左右のレンズ保持部と眼鏡レンズの鼻側を支持するブリッジ部とを備えるものであれば、ハーフリム、アンダーリム、リムレスフレーム等、他のタイプの構造を有する眼鏡フレームについても同様に適用することができる。また、鼻眼鏡のように、テンプルを有しない構造の眼鏡フレームについても、本発明を適用できることは言うまでもない。
【符号の説明】
【００４２】
１…眼鏡フレーム、２ａ，２ｂ…リム、３…ブリッジ、４ａ，４ｂ…ヨロイ、５ａ，５ｂ…ダミーレンズ、６ａ，６ｂ…水平基準線、７ａ，７ｂ…垂直基準線、８ａ，８ｂ…水平補助線、１０ａ，１０ｂ…眼、１１ａ，１１ｂ…瞳孔、１２ａ，１２ｂ…アイポイントマーク。
【図１】
2014071420.tif 000003
【図２】
2014071420.tif 000004